(57)【要約】【課題】  排水性を損なうことなく自然観のある外観を形成することができる床の排水構造を提供する。【解決手段】  床部材１に設けた傾斜面２にこの傾斜面２の傾斜に沿って複数本の目地溝３、３…を形成する。隣り合う目地溝３、３の間に複数本の導水溝４、４…を傾斜面２の傾斜方向に並べて形成することによって、複数本の導水溝４、４…で木目調柄を形成する。隣り合う導水溝４、４の間の平坦部５に複数の突起６、６…を設ける。排水のために設けた複数本の導水溝４、４…を利用して木目調柄を形成することができる。【選択図】  図１
2006233520.tif 000002
【特許請求の範囲】
【請求項１】
床部材に設けた傾斜面にこの傾斜面の傾斜に沿って複数本の目地溝を形成し、隣り合う目地溝の間に複数本の導水溝を傾斜面の傾斜方向に並べて形成することによって、複数本の導水溝で木目調柄を形成し、隣り合う導水溝の間の平坦部に複数の突起を設けて成ることを特徴とする床の排水構造。
【請求項２】
傾斜面の傾斜に沿って導水溝を形成して成ることを特徴とする請求項１に記載の床の排水構造。
【請求項３】
平坦部の傾斜方向における下側の導水溝に近いほど突起を高密度に形成して成ることを特徴とする請求項１又は２に記載の床の排水構造。
【請求項４】
導水溝を木目調柄の年輪様柄として形成して成ることを特徴とする請求項１乃至３のいずれかに記載の床の排水構造。
【請求項５】
突起を設けていない部分に微小突起を設けて成ることを特徴とする請求項１乃至４のいずれかに記載の床の排水構造。
【請求項６】
金型にエッチング加工により形成した粗面で突起を形成して成ることを特徴とする請求項１乃至５のいずれかに記載の床の排水構造。
【発明の詳細な説明】
【技術分野】
【０００１】
本発明は、浴室の床パンの底面や洗面台などの周りの床等に適用される床の排水構造に関するものである。
【背景技術】
【０００２】
従来より、浴室の床パンに溝や凹凸を設けて排水性を高めることが行なわれている（例えば、特許文献１参照）。
【０００３】
しかし、排水性の向上を追求するあまり、その外観は人工的なものとなりやすかった。
【特許文献１】特開２００４−２５１０９５号公報
【発明の開示】
【発明が解決しようとする課題】
【０００４】
本発明は上記の点に鑑みてなされたものであり、排水性を損なうことなく自然観のある外観を形成することができる床の排水構造を提供することを目的とするものである。
【課題を解決するための手段】
【０００５】
本発明の床の排水構造は、床部材１に設けた傾斜面２にこの傾斜面２の傾斜に沿って複数本の目地溝３、３…を形成し、隣り合う目地溝３、３の間に複数本の導水溝４、４…を傾斜面２の傾斜方向に並べて形成することによって、複数本の導水溝４、４…で木目調柄を形成し、隣り合う導水溝４、４の間の平坦部５に複数の突起６、６…を設けて成ることを特徴とするものである。
【０００６】
本発明によれば、排水のために設けた複数本の導水溝４、４…を利用して木目調柄を形成することができ、排水性を損なうことなく自然観のある外観を形成することができるものである。
【０００７】
本発明にあっては、傾斜面２の傾斜に沿って導水溝４を形成するのが好ましく、これにより、導水溝４を通じて排水しやすくなり、排水性を高めることができるものである。
【０００８】
また、本発明にあっては、平坦部５の傾斜方向における下側の導水溝４に近いほど突起６を高密度に形成するのが好ましく、これにより、導水溝４に排水が導入されやすくなって平坦部５に水を溜まりにくくすることができ、排水性を高めることができるものである。
【０００９】
また、本発明にあっては、導水溝４を木目調柄の年輪様柄として形成するのが好ましく、これにより、木目調柄がより強調されて自然観のある外観を形成することができるものである。
【００１０】
また、本発明にあっては、突起６を設けていない部分に微小突起７を設けることが好ましく、これにより、木目調柄がより強調されて自然観のある外観を形成することができるものである。
【００１１】
また、本発明にあっては、金型にエッチング加工により形成した粗面で突起６を形成するのが好ましく、この金型を用いたプレス成形により突起６を形成することによって、突起６の形成を容易に行うことができるものである。
【発明の効果】
【００１２】
本発明は、排水性を損なうことなく自然観のある外観を形成することができるものである。
【発明を実施するための最良の形態】
【００１３】
以下、本発明を実施するための最良の形態を説明する。
【００１４】
本発明の床の排水構造は、図１に示すように、浴室の床パンや水周りの床を構成する床部材１の表面に形成されるものである。図１において、矢印ｘは水の流れる方向を示す。また、図１において、後述する突起６の一部は図示省略されている。以下、床部材１が浴室の洗い場用の床パン２０である場合について説明するが、これに限定されるものではない。
【００１５】
図２に示すように、床パン２０は底板２１の周囲に壁板２２を立ち上げて上面が開口する箱状に形成されるものである。床パン２０はガラス繊維強化プラスチック（ＦＲＰ）などの樹脂成形品で形成することができる。床パン２０の底板２１には上下に貫通する排水孔２３が設けられており、この排水孔２３に排水管を接続することにより排水できるように形成されるものである。図２のものでは排水孔２３は床パン２０の一方の短辺近傍に設けているが、これに限らず、例えば、床パン２０の四隅や中央部に設けても良い。そして、床パン２０の底面（底板２１の上面）は排水孔２３に向って下り傾斜した傾斜面２として形成されている。傾斜面２の傾斜角度は適宜設定可能であるが、例えば、水平に対して１〜３°にすることができる。
【００１６】
本発明の排水構造は床パン２０の上記傾斜面２に目地溝３、導水溝４、突起６、微小突起７を設けて形成されるものである。図３に示すように、目地溝３は傾斜面２の表面に凹設されており、傾斜面２の傾斜方向に沿って長く形成されている。また、目地溝３の底面は傾斜面２と同様に排水孔２３に向って下り傾斜させて形成されている。目地溝３の幅寸法や深さ寸法は、傾斜面２の面積等に応じて適宜設定可能であるが、例えば、幅寸法Ｗ１は１．０〜５．０ｍｍ、深さ寸法Ｈ１は０．５〜２．０ｍｍ、目地溝３の裏面側への突出寸法Ｒ１は０．１〜０．３ｍｍとすることができる。また、傾斜面２には複数本の目地溝３、３…が平行に形成されており、隣り合う目地溝３、３の間隔は１〜３ｍｍとすることができるが、この間隔は傾斜面２の面積等によって適宜設定することができる。
【００１７】
導水溝４は隣り合う目地溝３、３の間において傾斜面２の表面に複数本（多数本）凹設されている。導水溝４は傾斜面２の傾斜方向に真っ直ぐに形成されておらず、例えば、平面視でＵ字状に曲がったり湾曲したりしながら傾斜面２の傾斜方向に沿って長く形成されている。また、複数本の導水溝４、４…は傾斜面２の傾斜方向に間隔を介して並べて形成されている。そして、本発明の排水構造はこれら複数本の導水溝４、４…により木目調柄を形成するものである。このとき、導水溝４、４…は木目調柄の年輪様柄（木目柄の年輪のような柄）として形成されている。導水溝４の幅寸法や深さ寸法は一定ではなく、導水溝４の形状はランダム（不規則）に形成されているが、例えば、幅寸法Ｗ２は１．５〜５．０ｍｍ、深さ寸法Ｈ２は０．２〜０．５ｍｍ、導水溝４の裏面側への突出寸法Ｒ２は０．２〜０．３ｍｍとすることができる。導水溝４の幅寸法や深さ寸法は、傾斜面２の面積等に応じて適宜設定可能であるが、自然の木目の幅寸法と同等にするのが好ましい。導水溝４の一端あるいは両端は目地溝３と接続されており、導水溝４と目地溝３とは導通している。また、導水溝４の底面は傾斜面２と同様に排水孔２３に向って下り傾斜させて形成されている。
【００１８】
傾斜面２の傾斜方向において隣り合う導水溝４、４の間は平坦部５として形成されており、この平坦部５において傾斜面２の表面には複数（多数）の突起６が形成されている。突起６の大きさや形状はランダムに形成されているが、例えば、長さ寸法（図４におけるＬ）は１００〜３００μｍ、幅寸法（図４におけるＹ）は５０〜９０μｍ、高さ寸法（図４におけるＨ）は４０〜６０μｍとすることができる。突起６の長手方向の向きは自然の木目柄のような外観にするためにランダムであることが好ましい。そして、この複数の突起６により木目柄の導管を表現することができ、一層、自然の木目柄に近い木目調柄を形成することができる。尚、木の導管は、水分を運ぶ内部血管のようなものである。
【００１９】
ここで、図５（ａ）（ｂ）に示すように、突起６は平坦部５の全体に亘って均一な密度で形成してもよいが、より好ましくは、図６（ａ）（ｂ）（ｃ）に示すように、平坦部５の傾斜面２の傾斜方向における下側の導水溝４に近づくほど突起６を高密度にするのが好ましい。すなわち、平坦部５は傾斜面２の傾斜方向において上下に隣り合う導水溝４、４の間に形成される部分であるが、傾斜面２の傾斜方向において平坦部５の直下にある導水溝４に近い部分Ｓ１ほど、この導水溝４から遠い部分Ｓ３に比べて、隣り合う突起６、６の間隔を小さくして、突起６の密度を大きくするのである。これにより、突起６により導水溝４に排水が導入されやすくなって平坦部５に水を溜まりにくくすることができ、排水性を高めることができる。また、図７に示すように、傾斜面２の傾斜方向において平坦部５の直下にある導水溝４に近い部分Ｓ１から徐々に遠くなる部分Ｓ２、Ｓ３ほど、突起６の密度を小さくすることができる。尚、図５のものは従来、家具やフロアー、壁材などに多用されている木目模様であって、導管の間隔が広く、家具、フロアー、壁材の導管は平滑になる外観を呈する。一方、図６に示すものは、導管（突起６、６）の間隔が広い場所と狭い場所が生じ、また、導管（突起６）と年輪（導水溝４）とが重なる外観を呈する。
【００２０】
本発明では、図７に示すように、突起６を設けていない部分にさらに上記突起６よりも小さな微小突起７を多数設けることができる。突起６を設けていない部分とは、例えば、導水溝４の底面や側面及び隣り合う突起６、６の間における平坦部５の表面などである。また、微小突起７としては、例えば、シボ加工などで形成されるシボを用いることができる。そして、この微小突起７により、木目調柄がより強調されて自然観のある外観を形成することができる。また、微小突起７は滑りを防止する役目も兼ねている。また、突起６と微小突起７の両方が存在する部分（オーバーラップ部分）により平坦部５から導水溝４への排水を速めることができる。従って、導水溝４の下流側（傾斜面２の傾斜方向における下側であって、図９においてＰ２の部分）には微小突起７を設ける必要がないか、或いは導水溝４の上流側（図９においてＰ１の部分）よりも多く設ける必要はない。
【００２１】
本発明の床の排水構造は、例えば、金型によるプレス成形により形成することができる。本発明に用いる金型を作製するにあたっては、まず、実物の木目柄（模様）の写真を撮る。次に、この写真フィルムに陰影をつける。次に、写真フィルムを溶かして除去する位置と残す位置とを区別する。次に、溶かす深さと工程に合わせてフィルムを作製する。次に、このフィルムを金型に合わせる。次に、フィルムを金型に固定する。次に、金型を塩酸等を成分として含む液につける。このようにしてフィルムをレジストとする金型のエッチング加工により金型に粗面を形成する。そして、この金型の粗面を床部材１の傾斜面２に押し付けてプレス成形することによって、突起６、微小突起７及び導水溝４あるいは目地溝３を形成することができる。また、この金型で床部材１を成形してもよい。
【００２２】
本発明の床の排水構造は、以下のような排水原理で排水するものである。まず、図８、９（ａ）（ｂ）（ｃ）に示すように、全面が親水性を有する傾斜面２（床パン２０の底面）に落ちた水ａｑは突起（導管）６で水滴に分散される。次に、その水滴が突起６、６の間や微小突起７、７の間を通って導水溝（年輪）４に流れ込む。次に、導水溝４に集まった水は複数本の導水溝４、４…からなる木目調柄の間にある目地溝３に流れ込む。この後、目地溝３から排水孔２３へと水が流れ込んで排水される。尚、矢印ｘは水の流れ方向を示す。図９（ａ）において点線ニで囲まれた部分は突起６の密度が高い部分を示す。
【００２３】
本発明は、床部材１の直接水がかかる部分で比較的範囲が広く、勾配・傾斜のある部分に適用することができる。
【図面の簡単な説明】
【００２４】
【図１】本発明の実施の形態の一例を示す平面図である。
【図２】同上の床パンを示す斜視図である。
【図３】同上の一部を示す概略図である。
【図４】同上の突起を示す斜視図である。
【図５】同上の木目調柄を示し、（ａ）は平面図、（ｂ）は（ａ）の部分イの拡大図である。
【図６】同上の（ａ）は一部の平面図、（ｂ）は（ａ）の部分ロを含む拡大図、（ｃ）は（ｂ）のＡ−ＡＡ断面図である。
【図７】同上の概略図である。
【図８】同上の床パンの断面図である。
【図９】同上の（ａ）は一部の平面図、（ｂ）は（ａ）の部分ハの拡大図、（ｃ）は部分ハの斜視図である。
【符号の説明】
【００２５】
１  床部材
２  傾斜面
３  目地溝
４  導水溝
５  平坦部
６  突起
７  微小突起
【図１】
2006233520.tif 000003
【図２】
2006233520.tif 000004
【図３】
2006233520.tif 000005
【図４】
2006233520.tif 000006
【図５】
2006233520.tif 000007
【図６】
2006233520.tif 000008
【図７】
2006233520.tif 000009
【図８】
2006233520.tif 000010
【図９】
2006233520.tif 000011